(57)【要約】【目的】レベル調整部材にスライダ機能を兼ねさせる。【構成】板状をなすレベル調整部材５の下面４隅及び中央部に回転体支持部１６を設け、ここに回転体１５を嵌合する。回転体支持部１６にはアンダーカット形状部１７を設け回転体１５の脱落を防止する。また本体部に上下へ交互に開口する有底筒状部１０を設け、下向きに開口する有底筒状部１０の底部１２を周枠部１３の上下面から上下へ若干量突出させ、クッション機能を発揮する部分とする。重量物の下へ介在されたレベル調整部材５は、回転体１５の転動により自在に設置面上をスライド移動して、設置時の微調整を容易にする。【選択図】図５
2007032027.tif 000002
【特許請求の範囲】
【請求項１】
重量物を設置する際にレベルを調整するため設置面と重量物との間に介在されるレベル調整部材において、
前記重量物と設置面へ接する本体部の下面複数ヶ所へ球状の回転体を回転自在に設け、
その一部を本体部の下面から下方へ突出させたことを特徴とするレベル調整部材。
【請求項２】
前記回転体の取付部は、下向きに開放された球面状凹部であって、この球面状凹部の開口部周囲部分はアンダーカット形状をなしていることを特徴とする請求項１のレベル調整部材。
【請求項３】
前記回転体は前記アンダーカット形状部を弾性変形させて前記球面状凹部内へ嵌合されることを特徴とする請求項２のレベル調整部材。
【請求項４】
前記回転体の取付部を構成する前記球面状凹部の底部が、前記本体部周囲の上面よりも上方へ突出していることを特徴とする請求項２のレベル調整部材。
【請求項５】
前記本体部は、下向きに開放されかつ有底の肉抜き凹部を備えるとともに、この肉抜き凹部の底部は本体部周囲の上面よりも上方へ突出していることを特徴とする請求項１のレベル調整部材。
【発明の詳細な説明】
【技術分野】
【０００１】
この発明は、側溝やボックスカルバート等のコンクリート製重量物等を敷設する際に、レベル調整の目的で設置面との間に介在されるレベル調整部材に関する。
【背景技術】
【０００２】
このようなレベル調整部材は公知であり、例えば、樹脂材料を板状に形成して重量物の４隅へ介装するレベル調整プレートがある（一例として特許文献１参照）。また、このような重量物を多数個連続して敷設するとき、一カ所へ多数個の重量物を運搬車両から降ろし、ここから予め敷設されたレール上を台車へ乗せて移動させるようにした工法もある（一例として特許文献２参照）。
【特許文献１】特開２００４−２１１５１０号公報
【特許文献２】特開２００５−６８６４２号公報
【０００３】
図７及び８はレールにより重量物をスライド移動させる工法を例示するものである。図７に示す例では、横穴１内へ重量物の一例であるボックスカルバート２を整列・連続させて敷設する場合は、コンクリート舗装された設置面３上へ予めレール４を敷設しておき、この上にレベル調整部材５を乗せ、さらに開口部６からクレーン（図示省略）で順次吊り降ろし、ウインチ７等でレール４上を移動させて整列させるようになっている。
【０００４】
図８に示すように、ボックスカルバート２はコンクリート製の大型四角枠状部材であり、これを多数連続して並べることにより、下水路やコンクリート通路等の連続する閉空間を形成することができる。
【０００５】
図８はボックスカルバート２を移動方向に対して直交方向の断面で示す。その拡大部にも明らかなように、レール４は例えばＨ字形断面の鋼材を接地面３上へ敷設したものであり、その上面に形成された溝状の凹部内へ多数の鋼球８を散布しておき、レベル調整部材５はこの鋼球８上をレール４の長さ方向へ移動するようになっている。
【発明の開示】
【発明が解決しようとする課題】
【０００６】
ところで、上記従来例のように、重量物の移動にレール４を使用する場合は、レール４の敷設に多くの手間を要する。しかも、レール上を移動する台車やレール上へ散布した多数の鋼球８等を必要とするから、スライド移動構造のための構成部品が多くなり、取り扱いも面倒になる。そこでこのようなスライド移動のための特別な部材を省略することが望まれている。
また、レベル調整部材５上にはボックスカルバート２を吊り降ろすとき、降着時のショックで割れるおそれがあるので、このようなショックを緩和できるようにすることも望まれる。さらに設置時の微調整は重量物のため極めて困難であるため、これを容易にすることも強く望まれている。
そこで本願は、これらの要請の実現を目的とする。
【課題を解決するための手段】
【０００７】
上記課題を解決するため本願のレベル調整部材に係る請求項１の発明は、重量物を設置する際にレベルを調整するため設置面と重量物との間に介在されるレベル調整部材において、
前記重量物と設置面へ接する本体部複数ヶ所へ球状の回転体を回転自在に設け、
その一部を本体部の下面から下方へ突出させたことを特徴とする。
【０００８】
請求項２の発明は上記請求項１において、前記回転体の取付部が、下向きに開放された球面状凹部であって、この球面状凹部の開口部周囲部分はアンダーカット形状をなしていることを特徴とする。
【０００９】
請求項３の発明は上記請求項２において、前記回転体が前記アンダーカット形状部を弾性変形させて前記球面状凹部内へ嵌合されることを特徴とする。
【００１０】
請求項４の発明は上記請求項２において、前記回転体の取付部を構成する前記球面状凹部の底部が、前記本体部周囲の上面よりも上方へ突出していることを特徴とする。
【００１１】
請求項５の発明は上記請求項１において、前記本体部が、下向きに開放されかつ有底の肉抜き凹部を備えるとともに、この肉抜き凹部の底部は本体部周囲の上面よりも上方へ突出していることを特徴とする。
【発明の効果】
【００１２】
請求項１の発明によれば、レベル調整部材の本体部複数ヶ所に球状の回転体を設けその一部を下面から下方へ突出させたので、重量物と設置面の間にレベル調整部材を介在させてレベル調整できるとともに、この状態で重量物を押し引きす等の力を加えるとレベル調整部材の回転体が転動することにより、重量物を容易にスライド移動させることができる。
【００１３】
このため、従来から用いられているレベル調整部材がスライダ機構を兼備することになり、レベル調整部材を介在するだけでレベル調整とスライドが可能になる。その結果、従来のようにレールを敷設し、さらに台車や多数の鋼球を介在させる必要がなくなるので、長大かつ重量の大きなレールを敷設する手間を省け、かつ台車や多数の鋼球等の他部材の使用も不用にできので取り扱いも容易になる。
【００１４】
また、回転体を球状にすることにより、直線的移動のみならず曲げる等自由に移動させることができるので移動の自由度が高くなり、かつ隣り合う重量物間の接続部等における微調整も容易になる。このため、従来は困難であった設置時における重量物を自在に微調節して正確に設置でき、施工精度が向上する。
【００１５】
請求項２の発明によれば、本体部に回転体の取付部として、下向きに開放された球面状凹部を設けたので、この中へ回転体を回転自在に支持できる。しかも球面状凹部の開口部周囲部分をアンダーカット形状部としたので、回転体を脱落しないように保持できる。
【００１６】
請求項３の発明によれば、アンダーカット形状部を弾性変形させて回転体を球面状凹部内へ嵌合できるので、回転体を嵌合により容易に取付けることができる。
【００１７】
請求項４によれば、回転体の取付部を構成する球面状凹部の底部を本体部周囲の上面よりも上方へ突出させたので、レベル調整部材の上へ重量物を降ろすとき、突出した底部が変形して重量物の降着時におけるショックを緩和するクッションとなり、レベル調整部材の割れを防止することができる。
【００１８】
請求項５によれば、肉抜き凹部の底部を本体部の上面側へ突出させたので、レベル調整部材の上へ重量物を降ろすとき、突出した底部が変形して重量物の降着時におけるショックを緩和するクッションとなり、レベル調整部材の割れを防止することができる。
【発明を実施するための最良の形態】
【００１９】
以下、図面に基づいて一実施例を説明する。図１はボックスカルバート等のコンクリート製重量物に使用するレベル調整部材５の平面図であり、上面側を示す。レベル調整部材５は略長方形の板状をなし、その内部に有底筒状部１０が縦横へ等間隔に多数形成されている。有底筒状部１０は円形の開口部１１及び底部１２を備える。なお、本実施例は図７及び８におけるボックスカルバートの敷設に使用するものであるから、これらの図における共通部には共通符号を用いる。また、各図において同一の指示符号が多数あるときは、一部のみを代表的に符号指示するものとする。
【００２０】
有底筒状部１０は、上向き又は下向きに開放された有底凹部が形成され、上向きに開放されたものと、下向きに開放されたものとが図の上下方向及び左右方向へ交互に配置され、開口部１１と底部１２が交互に配置されている。すなわち、縦方向（図の上下方向）及び横方向（図の左右方向）の行と列が、交互に開口部１１と底部１２になっている。また、隣り合う上向きに開放されたものと下向きに開放されたものの壁部は部分的に連続一体化している。１３は周枠部、１４は連結部である。
【００２１】
これら、有底筒状部１０、周枠部２３、連結部１４及び後述する回転体支持部１６はレベル調整部材５の本体部を構成し、この本体部は熱可塑性樹脂や熱硬化性樹脂等の樹脂材料やゴム等の適宜硬質材料を用いて射出成形等の適宜方法で全体が一体に形成される。特に、樹脂材料を射出成形により製造すれば、成形効率が高くかつ後述するアンダーカット形状部を簡単に形成できる。
【００２２】
図２は、レベル調整部材５の底面図であり、設置面側を示す。この面も同様に開口部１１と底部１２が交互に配置されている。周囲の有底筒状部１０は下向きに開放されているものであるが、そのうちの４隅は回転体１５が回転自在に取付けられる回転体支持部１６をなす。また中央側の対称位置４ヶ所の有底筒状部１０も同様の回転体支持部１６に代えられ、ここに回転体１５が回転自在に取付けられている。回転体１５は鋼球等適宜材料からなる球状体であり、レベル調整部材５を設置面３上にてスライド自在にするためのベアリングである。
【００２３】
回転体支持部１６は開口部周囲に形成されるアンダーカット形状部１７を備え、その周方向へ等間隔でスリット１８が形成されている。スリット１８はアンダーカット形状部１７の突出端部に達するように形成され、アンダーカット形状部１７の弾性変形を容易にしている。
【００２４】
図３は、正面図であり、有底筒状部１０の底部１２が周枠部１３より上下へ若干突出している。また、下面から回転体１５の一部が下方へ突出し、この部分が設置面３へ接触する。すなわちレベル調整部材５を横方向へ押し引きして力を加えると、回転体１５が回転体支持部１６内で回転するとともに設置面３上を球面接触することにより、レベル調整部材５を小さな力で移動させることができる。
【００２５】
図４は図１の４−４線断面である。上向きに開放された有底筒状部１０はストレート穴状の肉抜き凹部１０ａを備える。有底筒状部１０の高さは周枠部１３の高さＨと略同程度である（但し、後述するように底部１２の一部が上下へ突出している）。周枠部１３の上端面と同じ高さの面をレベル調整部材５の上面とし、周枠部１３の下端面と同じ高さの面をレベル調整部材５の下面というものとする。この上面がボックスカルバート２の荷重支持面となる。有底筒状部１０の高さ方向中間部内側は連結部１４と連続一体化している。
【００２６】
連結部１４の肉厚は、周枠部１３の高さの１／３程度であり、その外周部は周枠部１３の内側かつ高さ方向中間部と連続一体化している。上向きに開放された有底筒状部１０は、上部が連結部１４から上方へ延びて開口部１１の上端面は周枠部１３の上面から微少寸法ｄだけ上方へ突出している。また有底筒状部１０の下部は連結部１４から下方へ延びて底部１２の下面が周枠部１３の下面よりも微少寸法ｄだけ下方へ突出している。なお、このような微少寸法ｄなる突出はレベル調整部材５の上面側のみに設けてもよい。肉抜き凹部１０ａは連結部１４を越えて上下へ延びている。下向きに開放された有底筒状部１０は逆になる（図５参照）。
【００２７】
図５は図１の５−５線断面であり、回転体支持部１６には回転体１５を収容する球面状の凹曲面からなる球面凹部２０が設けられ、その開口部近傍は、開口部をすぼめたアンダーカット形状部１７となっている。また、その周方向にスリット１８が形成されている。スリット１８はアンダーカット形状部１７の突出端部に達している。これによりアンダーカット形状部１７の変形が容易となっており、回転体１５の嵌合を可能とし、かつ回転体１５の脱落を防止するとともに、回転体１５の回転体支持部１６内における転動を自在とする。
【００２８】
アンダーカット形状部１７と周枠部１３の間にも溝１９が形成され、アンダーカット形状部１７の変形を確保している。回転体１５はアンダーカット形状部１７の先端よりも下方へ突出し、周枠部１３の下面よりｈなる突出量を有する。h＞ｄなる関係にある。Ｄは球面状凹部２０の直径であり、回転体１５の直径より僅かに大きいが略同程度である。Ｄ１はアンダーカット形状部１７の開口径であり、Ｄ１＜Ｄの関係がある。この関係（Ｄ１＜Ｄ）は本願におけるアンダーカット形状の定義でもある。
【００２９】
回転体支持部１６の底部２１は、下向きに開放された有底筒状部１０の底部１２と同様に、周枠部１３の上端面より若干量ｄだけ上方へ突出している。底部２１及び１２は降着時におけるボックスカルバート２の下面が最初に当接してクッションとして作用する部分であり、底部１２はクッション作用に足る弾性変形を可能にできるような肉厚ｔになっている。なお、回転体支持部１６の底部２１は必ずしもｄなる突出量を有するものではなく、ｄ以下の突出量として多段のクッション作用を実現させてもよい。また突出させなくてもよい。
【００３０】
次に、本実施例の作用を説明する。図７及び８に示すように、横穴１内ボックスカルバート２を敷設するとき、設置面３上に置いたレベル調整部材５の上へボックスカルバート２を降ろす。このとき、底部１２及び２１並びに上向きに開放された有底筒状部１０の開口１１が上面より上方へ若干量ｄだけ上方へ突出しているため、ボックスカルバート２が周枠部１３の上面へ接触する前にｔなる肉厚の底部１２を弾性変形させてショックを吸収する。
【００３１】
このため、ボックスカルバート２が降着するとき、そのショックを緩和させながら周枠部１３へ当接させることができるので、レベル調整部材５の割れを防止もしくは減少させることができる。その結果、レベル調整部材５によりボックスカルバート２の設置面３に対するレベルを確実に調整できる。
なお、レベル調整部材５の下面側は回転体１５が接地しているが、設置面状況により下面の突出部が接地している場合には、やはりクッション作用に寄与する。
【００３２】
図６はレベル調整部材５の上に乗せられたボックスカルバート２の状態を示す図８に対応する部分断面図である。この図に示すように、ボックスカルバート２の下面に介装されたレベル調整部材５は、回転体１５を介して設置面３上へ球面接触する。このため、ボックスカルバート２をウインチ７等で引けば、設置面３上を回転体１５が転動することにより、ボックスカルバート２をレベル調整部材５と一緒に設置面３上にて所望位置まで容易に移動させることができる。
【００３３】
このため、従来から用いられているレベル調整部材５がスライダ機構を兼備することになり、レベル調整部材５を介在するだけでレベル調整とスライドが可能になる。その結果、、従来のようにレールを敷設し、さらに台車や多数の鋼球を介在させる必要がなくなるので、長大かつ重量の大きなレールを敷設する手間を省け、かつ台車や多数の鋼球等の他部材も不用にできるので取り扱いも容易になる。
【００３４】
このとき、回転体１５を球状にすることにより、直線的移動のみならず曲げる等自由に移動させることができるので移動の自由度が高くなり、かつ隣り合うボックスカルバート２間の接続部等における微調整も容易になる。したがって、従来は困難であった設置時における重量物の微調整を簡単に行うことができ、作業性が向上するとともに、施工精度も向上する。
【００３５】
また、回転体１５の取付部として、回転体支持部１６へ下向きに開放された球面状凹部２０を設けたので、この中へ球状の回転体１５を回転自在に支持できる。しかも球面状凹部２０の開口部周囲部分をアンダーカット形状部１７としたので、回転体を脱落しないように保持できる。
【００３６】
そのうえ、本体部の成形後における後加工にて、アンダーカット形状部１７を弾性変形させて回転体１５を球面状凹部２０内へ嵌合できるので、回転体１５を嵌合により容易に取付けることができる。また、アンダーカット形状部１７のスリット１８や溝１９の存在により、回転体１５を球面状凹部２０内へ嵌合するときのアンダーカット形状部１７における弾性変形を容易にできる。
【００３７】
さらに、有底筒状部１０及び回転体支持部１６の各底部１２及び２１をｄなる微少寸法で周枠部１３の上面よりも上下へ突出させたので、レベル調整部材の上へ重量物を降ろすとき、突出した底部が変形して重量物の降着時におけるショックを緩和するクッションとなり、レベル調整部材の割れを防止することができる。しかも、肉抜き凹部１０ａは連結部１４を越えて上方へ延ばすことにより、本体部の上面に底部１２を形成できる。
【００３８】
また、回転体１５が下方へ突出しているので、レベル調整部材５を複数積み重ねると、回転体１５が下のレベル調整部材５における隣り合う有底筒状部１０間の凹部や開口部１１へ嵌合することにより位置決めできる。このため、積み重ね状態を安定させることができ、搬送や貯蔵に有利となる。
【００３９】
なお、本願発明は上記実施例に限定されず種々に変形や応用が可能であり、
例えば、回転体１５の取付位置は少なくとも周囲４隅に設けることが好ましいが、三角形の３頂点をなすように配置して３点支持とすることもできる。中央部はレベル調整部材５が大型で、中央部のたわみが大きい場合は必須である。すなわち、回転体１５の使用数及び取付位置は、使用目的等によって自由に設定できる。
【００４０】
また、有底筒状部１０の形状及び数も任意であり、連結部１４を挟んで上下へ対称に設けてもよいし、上面側に開放するもののみを設けてもよい。後者の場合は、連結部１４を底部として上向きに開口する有底の肉抜き凹部を設け、開口部側の先端を本体部の上面よりも若干上方へ若干突出させ、ここでクッション機能を発揮するようにする。
【００４１】
さらに、本願発明のレベル調整部材を適用する重量物は、ボックスカルバートに限らず、その他のコンクリート製品でもよい。さらには非コンクリート製品の重量物であってもよい。また、従来のレール敷設が要求されるような工法におけるような、当初の投下位置と最終的な設置位置とが異なり、当初位置から最終位置まで移動する必要がある工法においてのみ使用されるものではなく、コンクリート製品等からなる個々の重量物をそれぞれ最初から最終の所定位置へ設置する工法においても適用できる。この場合にも本願発明のレベル調整部材を使用することにより、設置後の微調整が困難な重量物を容易に微調整して正確に設置することができ、施工の効率及び精度を上げることができる。
【図面の簡単な説明】
【００４２】
【図１】実施例に係るレベル調整部材の平面図
【図２】上記レベル調整部材の底面図
【図３】上記レベル調整部材の正面図
【図４】図１の４−４線断面
【図５】図１の５−５線断面
【図６】設置状態の断面図
【図７】従来のボックスカルバート敷設工法を示す図
【図８】上記の直交方向断面図
【符号の説明】
【００４３】
１：横穴、２：ボックスカルバート、３：設置面、５：レベル調整部材、１０：有底筒状部、１０ａ：肉抜き凹部、１１：開口部、１２：底部、１３：周枠部、１５：回転体、１６：回転体支持部、１７：アンダーカット形状部
【図１】
2007032027.tif 000003
【図２】
2007032027.tif 000004
【図３】
2007032027.tif 000005
【図４】
2007032027.tif 000006
【図５】
2007032027.tif 000007
【図６】
2007032027.tif 000008
【図７】
2007032027.tif 000009
【図８】
2007032027.tif 000010